(57)【要約】【課題】ワンタッチ操作によって容易にかつ簡単に装着することができるとともに、対応する鉛筆の軸体の径に対する範囲を広くすることができ、かつ装着後の筆記具の抜け落ちを効果的に防止できるようにした筆記具用ホルダーを提供する。【解決手段】前端２ａが開口するとともに、軸方向の前方外側に向けて開放する少なくとも１本の切込み部８を設けた指先摘み筒部２と、この指先摘み筒部２から軸方向後方に延出する補助筒部３とよりなるホルダー筒体４と、縮径方向の弾性機能を備える外装筒体５とよりなり、ホルダー筒体４における指先摘み筒部２に、外装筒体５を圧嵌状態をもって外嵌することにより、この外装筒体の弾性機能によって、指先摘み筒部２を縮径させて、指先摘み筒部２に内挿される筆記具Ｐの軸体を挟持しうるようにする。【選択図】    図３
2010125754.tif 000002
【特許請求の範囲】
【請求項１】
前端が開口するとともに、軸方向の前方外側に向けて開放する少なくとも１本の切込み部を設けた指先摘み筒部と、この指先摘み筒部から軸方向後方に延出する補助筒部とよりなるホルダー筒体と、縮径方向の弾性機能を備える外装筒体とよりなり、
前記ホルダー筒体における指先摘み筒部に、外装筒体を圧嵌状態をもって外嵌することにより、この外装筒体の弾性機能によって、指先摘み筒部を縮径させて、指先摘み筒部に内挿される筆記具の軸体を挟持しうるようにしたことを特徴とする筆記具用ホルダー。
【請求項２】
外装筒体を弾性素材で形成することにより、縮径方向の弾性機能を備えるようにした請求項１記載の筆記具用ホルダー。
【請求項３】
外装筒体に、軸方向の全長に亘って１本の切込み部を設けた請求項１または２記載の筆記具用ホルダー。
【請求項４】
ホルダー筒体の指先摘み筒部の外周面に、周方向の環状溝を形成し、この環状溝に外装筒体を外嵌させた請求項１〜３のいずれかに記載の筆記具用ホルダー。
【請求項５】
指先摘み筒部における開口端部の内周面を、軸方向の外側に向けて拡開する傾斜面に面取りした請求項１〜４のいずれかに記載の筆記具用ホルダー。
【請求項６】
外装筒体の外周面に、緩衝筒体を外嵌した請求項１〜５のいずれかに記載の筆記具用ホルダー。
【発明の詳細な説明】
【技術分野】
【０００１】
本発明は、たとえば鉛筆等の筆記具の軸体を装着して使用される筆記具用ホルダーに関する。
【背景技術】
【０００２】
筆記具用ホルダーは、前端が開口する軸方向前方の指先摘み筒部と、この指先摘み筒部から軸方向後方に延出する補助筒部とよりなるとともに、指先摘み筒部内に、その前端開口部から内挿した鉛筆の軸体を挟持することにより、軸体が短小となった鉛筆を有効に使用しうるようになっている。
【０００３】
従来、ホルダーに、短小となった鉛筆の軸体を装着するには、指先摘み筒部の前端開口部から、単に圧入状態で差込むか、あるいは指先摘み筒部の軸方向の外側に向けて開放する少なくとも１本の切込み部を設けるとともに、指先摘み筒部の外周面に、絞りリングを挿入し、かつこの絞りリングを軸方向の前方に向けてスライドさせて、指先摘み筒部を縮径方向に縮径させるか、または特許文献１に記載されているように、指先摘み筒部の外周面に、締付リングを螺合し、かつこの締付リングをねじ込んで、指先摘み筒部を縮径方向に縮径させることにより、鉛筆の軸体を挟持している。
【０００４】
しかし、前記した従来の筆記具用ホルダーは、鉛筆の軸体を装着する際に、指先摘み筒部の前端開口部から、鉛筆の軸体を単に差込むようにしてなるものでは、１回の操作（以下、ワンタッチ操作という）によって容易にかつ簡単に装着できる反面、指先摘み筒部の径方向の変化幅が小さく、鉛筆の軸体の径に対する対応範囲が狭いばかりでなく、何回も繰返し使用することによって、指先摘み筒部の弾性的な挟持力が弱くなり、鉛筆が抜け落ち易い。
また、鉛筆の軸体を内挿した後に、絞りリングをスライドさせるか、または締付リングをねじ込むようにして挟持したものでは、２回の操作を必要とするため、ワンタッチ操作をもって装着することができない。
【特許文献１】特開平９−５２４９３号公報
【発明の開示】
【発明が解決しようとする課題】
【０００５】
本発明は、前記の現状に鑑み、ワンタッチ操作によって容易にかつ簡単に装着することができるとともに、鉛筆の軸体の径に対する対応範囲を広くすることができ、かつ装着後の筆記具の抜け落ちを効果的に防止できる筆記具用ホルダーを提供することを目的とする。
【課題を解決するための手段】
【０００６】
上記課題は、「特許請求の範囲」の欄における各請求項に記載するように、次のような構成からなる発明によって解決される。
【０００７】
（１）前端が開口するとともに、軸方向の前方外側に向けて開放する少なくとも１本の切込み部を設けた指先摘み筒部と、この指先摘み筒部から軸方向後方に延出する補助筒部とよりなるホルダー筒体と、縮径方向の弾性機能を備える外装筒体とよりなり、前記ホルダー筒体における指先摘み筒部に、外装筒体を圧嵌状態をもって外嵌することにより、この外装筒体の弾性機能によって、指先摘み筒部を縮径させて、指先摘み筒部に内挿される筆記具の軸体を挟持しうるようにする。
【０００８】
（２）上記（１）項において、外装筒体を弾性素材で形成することにより、縮径方向の弾性機能を備えるようにする。
【０００９】
（３）上記（２）項において、外装筒体に、軸方向の全長に亘って１本の切込み部を設ける。
【００１０】
（４）上記（１）〜（３）項のいずれかにおいて、ホルダー筒体の指先摘み筒部の外周面に、周方向の環状溝を形成し、この環状溝に外装筒体を外嵌させる。
【００１１】
（５）上記（１）〜（４）項のいずれかにおいて、指先摘み筒部における開口端部の内周面を、軸方向の外側に向けて拡開する傾斜面に面取りする。
【００１２】
（６）上記（１）〜（５）項のいずれかにおいて、外装筒体の外周面に、緩衝筒体を外嵌する。
【発明の効果】
【００１３】
本発明によると、次のような効果を奏することができる。
請求項１記載の発明によると、ホルダー筒体における指先摘み筒部に、縮径方向の弾性機能を備える外装筒体を圧嵌状態をもって外嵌することにより、この外装筒体の弾性機能によって、指先摘み筒部を縮径させて、指先摘み筒部に内挿される筆記具の軸体を挟持しうるようにしてあるため、筆記具を、指先摘み筒部に差込むだけのワンタッチ操作によって容易にかつ簡単に装着することができる。
また、指先摘み筒部を、外装筒体をもって縮径方向に弾性的に縮径させるようになっているため、筆記具の軸体の径に応じて、指先摘み筒部を、外装筒体による径方向の弾性作用に抗して、容易に拡径させることができるとともに、指先摘み筒部の径方向の変化幅を大きくすることができ、これにより、対応する筆記具の径に対する対応範囲を広くすることができる。
さらに、外装筒体を、指先摘み筒部の外周面に圧嵌状態をもって外嵌してあるため、外装筒体の弾性機能による挟持力をもって、指先摘み筒部に内挿した筆記具の軸体を常に挟持することができ、装着後の筆記具の抜け落ちを効果的に防止できる。
【００１４】
請求項２記載の発明によると、外装筒体を弾性素材で形成することにより、縮径方向の弾性機能を備えるようにしてあるため、指先摘み筒部に対する縮径方向の弾性作用を容易に付与することができる。
【００１５】
請求項３記載の発明によると、外装筒体に、軸方向の全長に亘って１本の切込み部を設けてあるため、外装筒体を容易に径方向に拡開させることができ、ホルダー筒体の指先摘み筒部への外嵌が簡単に行える。
【００１６】
請求項４記載の発明によると、ホルダー筒体の指先摘み筒部の外周面に、周方向の環状溝を形成し、この環状溝に外装筒体を外嵌させてあるため、装着後における弾性外筒体の位置安定性が良好となるとともに、外装筒体の弾性作用による挟持力を、常に指先摘み筒部に内挿した筆記具の軸体に作用させることができる。
【００１７】
請求項５記載の発明によると、指先摘み筒部における開口端部の内周面を、軸方向の外側に向けて拡開する傾斜面に面取りしてあるため、筆記具の差込みが、より一層容易に行える。
【００１８】
請求項６記載の発明によると、外装筒体の外周面に、緩衝筒体を外嵌してあるため、指先摘み部のクッション効果をより高めることができ、ペン胼胝の発生を効果的に防止することができる。
【発明を実施するための最良の形態】
【００１９】
以下、本発明を、図面を参照して詳細に説明する
図１は、本発明における第１実施形態の筆記具用ホルダーに鉛筆を装着した筆記状態を示す斜視図、図２は、筆記具用ホルダーの拡大斜視図、図３は、同じく、筆記具用ホルダーの縦断面図、図４は、図３のIV−IV線拡大縦断面図、図５は、筆記具用ホルダーの分解斜視図である。
【００２０】
図１に示すように、本発明の筆記具用ホルダー１は、金属または硬質プラスチックス等からなるとともに、前端２ａが開口し、かつ軸体が短小となった鉛筆Ｐが内挿される軸方向前方の指先摘み筒部２と、この指先摘み筒部２から軸方向後方に向けて一体に延出し、かつ後端が閉塞もしくは開放（図示の実施形態ではね閉塞状態を示す）された補助筒部３とよりなるホルダー筒体４と、このホルダー筒体４における指先摘み筒部２の外周面に圧嵌状態をもって外嵌された外装筒体５とによって構成されている。
【００２１】
指先摘み筒部２は、筆記時に、鉛筆Ｐが装着されたホルダー１を指で摘んだ状態において、主に親指、人差し指、中指の指先によって摘み持たれる部分となる。
【００２２】
図２〜図５に示すように、外装筒体５は、金属または硬質プラスチックス等の弾性素材からなるとともに、軸方向の全長に亘って１本のスリット状の切込み部６が形成されている。
この切込み部６の形成によって、外装筒体５に、内力が径方向に作用した際に、切込み部６における周方向の切込み幅の拡開による弾性変形によって、その内力に抗する径方向に反力が生じるようになっている。
これにより、外装筒体５を、ホルダー筒体４における指先摘み筒部２の外周面に圧嵌状態をもって外嵌した際に、この外装筒体の縮径方向の弾性機能によって、指先摘み筒部２を縮径させるようになっている。
【００２３】
指先摘み筒部２の外周面には、その前端２ａ側の外周面２ｂを一部残して周方向に凹設した環状溝７と、軸方向の前方外側に向けて開放し、かつ周方向に所望の間隔をもって切り込まれた複数本のスリット状の切込み部８とが形成されている。
この切込み部８の形成によって、指先摘み筒部２に、外力または内力が径方向に作用した際に、切込み部８における周方向の切込み幅の縮小または拡開による弾性変形によって、その外力または内力に抗する径方向に反力が生じるようになっている。
【００２４】
外装筒体５は、指先摘み筒部２に形成した環状溝７に、圧嵌状態をもって外嵌されているとともに、その外周面５ａは、指先摘み筒部２の外周面２ｂおよび補助筒部３の外周面３ａと同一平面上に位置させてある。
これにより、ホルダー筒体４の外周面に段差がなくなり、外観の体裁を良好にすることができるとともに、摘み時の違和感がなく、安定した筆記が行える。
【００２５】
指先摘み筒部２の内径は、鉛筆Ｐの軸体の外径とほぼ同径となっており、また外装筒体５の内径は、指先摘み筒部２の外径よりも小さくなっているとともに、環状溝７の外径を、外装筒体５の内径よりも大きくすることにより、指先摘み筒部２の外周面、すなわち、環状溝７に外装筒体５を圧嵌状態をもって外嵌した際に、外装筒体５が、径方向の弾性作用をなすようにすることによって、ホルダー筒体４の指先摘み筒部２に対して、外力として縮径方向に作用する。
これにより、指先摘み筒部２内に鉛筆Ｐの軸体が内挿された際に、指先摘み筒部２に発生する拡径方向の内力による切込み部８の切込み幅における拡開方向の弾性変形に抗して、指先摘み筒部２に縮径方向の弾性を効果的に付与し、鉛筆Ｐの軸体を弾性的に挟持しうるようになっている。
また、装着後における外装筒体５の位置安定性が良好となるとともに、外装筒体５の弾性作用による挟持力を、常に指先摘み筒部に内挿した鉛筆Ｐの軸体に作用させることができ、鉛筆Ｐの抜け落ちを効果的に防止できる。
【００２６】
この場合、指先摘み筒部２の内径を、鉛筆Ｐの軸体の外径とほぼ同径としたが、鉛筆Ｐの軸体の外径よりも大きくし、外装筒体５の外嵌状態において、指先摘み筒部２の内径が、鉛筆Ｐの軸体の外径よりも小さくなるようにしてもよい。
【００２７】
指先摘み筒部２の前端２ａ近傍の内周面は、軸方向の前方外側に向けて拡開する傾斜面９に面取りして形成されている。
これにより、装着時における鉛筆Ｐの軸体の差込みが、より一層容易に行えるようになっている。
【００２８】
図６は、本発明における第２実施形態の筆記具用ホルダーを示す縦断面図である。  
【００２９】
本実施形態では、前記第１実施形態における筆記具用ホルダー１において、ホルダー筒体４における指先摘み筒部２の外周面の環状溝７に外嵌された外装筒体５の外周面５ａに、さらにゴム等の緩衝筒体１０を外嵌するとともに、この緩衝筒体１０の外周面１０ａを、前記環状溝７の深さを調整することにより、指先摘み筒部２および補助筒部３のそれぞれの外周面２ｂ，３ａと同一平面上に位置させてなる構成を有する。
【図面の簡単な説明】
【００３０】
【図１】本発明における第１実施形態の筆記具用ホルダーに鉛筆を装着した筆記状態を示す斜視図である。
【図２】筆記具用ホルダーの拡大斜視図である。
【図３】同じく、筆記具用ホルダーの縦断面図である。
【図４】図３のIV−IV線拡大縦断面図である。
【図５】筆記具用ホルダーの分解斜視図である。
【図６】本発明における第２実施形態の筆記具用ホルダーの縦断面図である。
【符号の説明】
【００３１】
１    筆記具用ホルダー
２    指先摘み筒部
２ａ  前端
２ｂ  外周面
３    補助筒部
３ａ  外周面
４    ホルダー筒体
５    外装筒体
５ａ  外周面
６    切込み部
７    環状溝
８    切込み部
９    傾斜面
１０  緩衝筒体
１０ａ  外周面
Ｐ    鉛筆（筆記具）
【図１】
2010125754.tif 000003
【図２】
2010125754.tif 000004
【図３】
2010125754.tif 000005
【図４】
2010125754.tif 000006
【図５】
2010125754.tif 000007
【図６】
2010125754.tif 000008